(57)【要約】【課題】  ホールドされたジョブの設定を変更する際に、設定変更の内容に応じてユーザに綴じ処理に関する問い合わせを行うことができる仕組みを提供することを目的とする。【解決手段】  ＭＦＰ１０１は、ホールドされたジョブの設定変更を行う場合に当該ジョブに針使用ステイプルの設定がなされていれば（Ｓ１００５でＹｅｓ）、設定変更を適用した場合に印刷すべきシート枚数が針不使用ステイプルで綴じる事のできる上限枚数以内であるか否かを判断する（Ｓ１００６）。上限枚数以内でないと判断した場合はステイプル設定を針使用ステイプルへ変更するか、設定変更をキャンセルするかユーザに問い合わせる（Ｓ１００７〜Ｓ１００８）。【選択図】  図１０
2016107482.tif 000002
【特許請求の範囲】
【請求項１】
記憶手段に記憶された印刷処理を含むジョブを印刷する印刷手段と、当該ジョブの設定変更を受け付ける受付手段と、針を使用して複数のシート束を綴じる第１の綴じ処理及び針を使用せずに前記第１の綴じ処理により綴じ処理が可能な上限枚数より少ない枚数のシートを綴じる第２の綴じ処理を少なくとも含むシート処理を実行可能なシート処理手段に対して前記印刷手段からのシートを搬送する搬送手段と、を有する印刷処理システムであって、
前記受付手段によるジョブの設定変更を適用した場合に、前記ジョブに前記第２の綴じ処理が設定される場合は、前記設定変更を適用したジョブのシート枚数が前記上限枚数よりも多ければ、ユーザに第１の問い合わせを行い、前記設定変更を適用したジョブのシート枚数が、前記上限枚数以内であれば、当該ジョブの設定変更を適用するように制御する制御手段と、
を備える事を特徴とする印刷処理システム。
【請求項２】
前記制御手段は、前記第１の問い合わせによって、綴じ処理の設定を第１の綴じ処理に変更する指示を受け付けた場合は、当該ジョブの綴じ処理の設定を第１の綴じ処理に変更するとともに前記設定の変更を適用するように制御することを特徴とする請求項１に記載の印刷処理システム。
【請求項３】
前記制御手段は、前記第１の問い合わせによって、設定の変更をキャンセルする指示を受け付けた場合は、設定の変更を行わないように制御することを特徴とする請求項１または２に記載の印刷処理システム。
【請求項４】
前記制御手段は、前記受付手段によるジョブの設定変更を適用した場合に、前記ジョブに前記第１の綴じ処理が設定される場合は、前記設定変更を適用したジョブのシート枚数が前記上限枚数以内であれば、ユーザに第２の問い合わせを行うことを特徴とする請求項１乃至３のいずれか１項に記載の印刷処理システム。
【請求項５】
前記制御手段は、前記第２の問い合わせによって、前記第２の綴じ処理に変更する指示を受け付けた場合は、当該ジョブの綴じ処理の設定を第２の綴じ処理に変更するとともに前記設定の変更を適用するように制御し、綴じ処理を変更しない指示を受け付けた場合は、当該ジョブの綴じ処理の設定を変更せずに、前記設定の変更を適用するように制御することを特徴とする請求項４に記載の印刷処理システム。
【請求項６】
前記制御手段は、印刷時に綴じ処理を決定することが設定されたジョブに対する設定変更を適用した場合に、前記設定変更を適用したジョブのシート枚数が前記上限枚数以内であれば、ユーザに第３の問い合わせを行い、前記設定変更を適用したジョブのシート枚数が前記上限枚数よりも多ければ、当該ジョブの綴じ処理の設定を第１の綴じ処理に変更するとともに前記設定の変更を適用するように制御することを特徴とする請求項１乃至５のいずれか１項に記載の印刷処理システム。
【請求項７】
前記上限枚数は、印刷するシートの種類に基づいて決定されることを特徴とする請求項１乃至６のいずれか１項に記載の印刷処理システム。
【請求項８】
印刷時に綴じ処理を決定することが設定されたジョブの実行指示がなされた場合に、当該ジョブのシート枚数が前記上限枚数以内の場合は、ユーザに綴じ処理の種類を選択させて印刷を開始し、当該ジョブのシート枚数が、前記上限枚数よりも多い場合は、当該ジョブに前記第２の綴じ処理を設定し、且つ印刷を開始するように制御する印刷制御手段を更に有することを特徴とする請求項１乃至７のいずれか１項に記載の印刷処理システム。
【請求項９】
記憶手段に記憶された印刷処理を含むジョブを印刷する印刷手段と、当該ジョブの設定変更を受け付ける受付手段と、針を使用して複数のシート束を綴じる第１の綴じ処理及び針を使用せずに前記第１の綴じ処理により綴じ処理が可能な上限枚数より少ない枚数のシートを綴じる第２の綴じ処理を少なくとも含むシート処理を実行可能なシート処理手段に対して前記印刷手段からのシートを搬送する搬送手段と、を有する印刷処理システムの為の制御方法であって、
前記受付手段によるジョブの設定変更を適用した場合に、前記ジョブに前記第２の綴じ処理が設定される場合は、前記設定変更を適用したジョブのシート枚数が前記上限枚数よりも多ければ、ユーザに綴じ処理を変更するか否かの問い合わせを行い、前記設定変更を適用したジョブのシート枚数が、前記上限枚数以内であれば、当該ジョブの設定変更を適用するように制御することを特徴とする制御方法。
【請求項１０】
請求項９に記載の印刷処理システムの制御方法をコンピュータに実行させるためのプログラム。
【請求項１１】
請求項１０に記載の印刷処理システムの制御方法を実行するためのプログラムを記憶したコンピュータ読取可能な記憶媒体。
【請求項１２】
外部装置からジョブを受信する受信手段と、
複数のジョブのデータを記憶可能な記憶手段と、
当該ジョブの設定変更を受け付ける受付手段と
針を使用して複数のシート束を綴じる第１の綴じ処理及び針を使用せずに前記第１の綴じ処理により綴じ処理が可能な上限枚数より少ない枚数のシートを綴じる第２の綴じ処理を少なくとも含むシート処理を印刷するシートに実行可能な画像形成装置へ前記ジョブを送信する送信手段と、
前記受付手段によるジョブの設定変更を適用した場合に、前記ジョブに前記第２の綴じ処理が設定される場合は、前記設定変更を適用したジョブのシート枚数が前記上限枚数よりも多ければ、ユーザに綴じ処理を変更するか否かの問い合わせを行い、前記変更を適用したジョブのシート枚数が、前記上限枚数以内であれば、当該ジョブの設定変更を適用するように制御する制御手段を有することを特徴とする印刷制御装置。
【請求項１３】
記憶手段に記憶された印刷処理を含むジョブを印刷する印刷手段と、
当該ジョブの設定変更を受け付ける受付手段と
針を使用して複数のシート束を綴じる第１の綴じ処理及び針を使用せずに前記第１の綴じ処理により綴じ処理が可能な上限枚数より少ない枚数のシートを綴じる第２の綴じ処理を少なくとも含むシート処理を前記印刷手段によって印刷するシートに実行可能なシート処理手段と、
前記受付手段によるジョブの設定変更を適用した場合に、前記設定変更を適用したジョブに前記第２の綴じ処理が設定される場合は、前記設定変更を適用したジョブのシート枚数が前記上限枚数よりも多ければ、ユーザに綴じ処理を変更するか否かの問い合わせを行い、前記設定変更を適用したジョブのシート枚数が、前記上限枚数以内であれば、当該ジョブの設定変更を適用するように制御する制御手段と、
を備える事を特徴とする画像形成装置。
【発明の詳細な説明】
【技術分野】
【０００１】
本発明は、綴じ処理の設定がなされた印刷ジョブを実行する印刷処理システムに関するものである
【背景技術】
【０００２】
近年、針を使用してシートを綴じる綴じ処理と、針を使用せずにシートを綴じる綴じ処理のいずれか１つの綴じ処理で画像を印刷したシートを綴じることができる画像形成装置が考えられている（特許文献１）。このような画像形成装置では、印刷ジョブに設定された綴じ処理の種類に基づいてシートに行う綴じ処理を決定する。
【０００３】
ここで、針を使用せずにシートを綴じる場合は、針を使用してシートを綴じる場合に比べて綴じ処理が可能なシートの上限枚数が少ないことが多い。
【０００４】
また、印刷ジョブを順次ホールドキューに格納し、ホールドキューに格納されたジョブ（以下、ホールドジョブと呼ぶ）のうち必要なジョブを選択して印刷することができるジョブホールド機能を備える画像形成装置が知られている（特許文献２）。また、特許文献２では、ホールドキューに格納したホールドジョブの様々な印刷設定を変更することができ、変更した印刷設定に基づいて印刷処理を行うことが記載されている。
【先行技術文献】
【特許文献】
【０００５】
【特許文献１】特開２０１３−１７００６７号公報
【特許文献２】特許第３３４４１５０号
【発明の概要】
【発明が解決しようとする課題】
【０００６】
特許文献２の画像形成装置では、ホールドジョブの面付け設定、印刷に用いるシート種類の設定、及び印刷部数などの印刷設定を適宜変更してから印刷処理を行うことが示されている。ところで、印刷設定の変更に伴い、シートの枚数が変動することがある。更に、綴じ処理の上限枚数がシートの種類ごとに異なる場合には、印刷設定の変更に伴って、上限枚数が変動することがある。
【０００７】
ここで、針を使用して綴じる綴じ処理と、針を使用せずに綴じる綴じ処理が共存する画像形成装置においても、ジョブホールド機能及びホールドジョブの印刷設定の変更を使用することが考えられる。
【０００８】
しかしながら、通常のユーザは綴じ処理ごとの上限枚数を記憶している訳ではないため、印刷設定の変更時に、現在の綴じ処理で綴じ処理が行えるか否かをすぐに判別することは困難である。この場合、例えば、印刷を開始して出力物を見ることではじめてジョブの送信時に設定した綴じ処理が行えていないことに気づく。また、例えば、綴じ処理の上限枚数を記憶しているユーザであっても、印刷設定の変更後に印刷するシートの枚数を確認した後に、印刷するシートの枚数に基づいて綴じ処理の種類を切り替える作業が必要となり、この作業に手間がかかるという問題がある。
【０００９】
本発明は、上記の問題点に鑑みなされたものであり、ホールド中のジョブの設定変更に応じて、適切な綴じ処理の種類を容易に設定できる仕組みを提供することを目的とする。
【課題を解決するための手段】
【００１０】
上記の目的を達成するために本発明の印刷処理システムは、記憶手段に記憶された印刷処理を含むジョブを印刷する印刷手段と、当該ジョブの設定変更を受け付ける受付手段と、針を使用して複数のシート束を綴じる第１の綴じ処理及び針を使用せずに前記第１の綴じ処理により綴じ処理が可能な上限枚数より少ない枚数のシートを綴じる第２の綴じ処理を少なくとも含むシート処理を実行可能なシート処理手段に対して前記印刷手段からのシートを搬送する搬送手段と、を有する印刷処理システムであって、前記受付手段によるジョブの設定変更を適用した場合に、前記ジョブに前記第２の綴じ処理が設定される場合は、前記設定変更を適用したジョブのシート枚数が前記上限枚数よりも多ければ、ユーザに第１の問い合わせを行い、前記設定変更を適用したジョブのシート枚数が、前記上限枚数以内であれば、当該ジョブの設定変更を適用するように制御する制御手段と、を備えることを特徴とする。
【発明の効果】
【００１１】
本発明によれば、ホールド中のジョブの設定変更に応じて、適切な綴じ処理の種類を容易に設定できる仕組みを提供することを目的とする。
【図面の簡単な説明】
【００１２】
【図１】印刷処理システムを示すブロック図である。
【図２】操作部１１６を示す図である。
【図３】ＭＦＰ１０１の断面図である。
【図４】綴じ部による綴じ処理を説明する図である。
【図５】針不使用綴じ部３１４ｂによる圧着を示す図である。
【図６】綴じ処理が行われたシートを説明する図である。
【図７】パネル２０１に表示される操作画面を示す図である。
【図８】パネル２０１に表示される操作画面を示す図である。
【図９】パネル２０１に表示される操作画面を示す図である。
【図１０】ジョブの設定変更に関する制御方法を示すフローチャートである。
【図１１】パネル２０１に表示される操作画面を示す図である。
【図１２】印刷データを設定するための操作画面を示す図である。
【図１３】パネル２０１に表示される操作画面を示す図である。
【図１４】ジョブのプリント開始に関する制御方法を示すフローチャートである。
【図１５】パネル２０１に表示される操作画面を示す図である。
【図１６】ジョブの設定変更に関する制御方法を示すフローチャートである。
【図１７】パネル２０１に表示される操作画面を示す図である。
【発明を実施するための形態】
【００１３】
以下、図面を参照して本発明の実施の形態を詳しく説明する。なお、以下の実施の形態は特許請求の範囲に係る発明を限定するものでなく、また実施の形態で説明されている特徴の組み合わせの全てが発明の解決手段に必須のものとは限らない。
【００１４】
＜第１の実施形態＞
まず、本発明の第１の実施形態について説明する。図１は、本実施形態に係る印刷処理システムを示すブロック図である。本実施形態では画像形成装置の一例としてＭＦＰ（Ｍｕｌｔｉｆｕｎｃｔｉｏｎ  Ｐｅｒｉｐｈｅｒａｌ）１０１を、情報処理装置の一例としてＰＣ１０２を説明する。ＭＦＰ１０１とＰＣ１０２はネットワーク１００を介して通信可能に接続されている。
【００１５】
尚、図１では、１つの情報処理装置が印刷処理システムに設けられた場合を例示しているが、ＭＦＰ１０１と複数の情報処理装置がネットワーク１００を介して通信可能に接続されていてもよい。
【００１６】
なお、本実施形態の印刷処理システムは、画像形成装置と情報処理装置を含む場合を例示しているが、これに限定されるものではない。例えば、画像形成装置を印刷処理システムとしてもよい。
【００１７】
まずＰＣ１０２について説明する。ＰＣ１０２は、印刷ジョブを投入するアプリケーションプログラム等の各種のプログラムを実行することができる。また、ＰＣ１０２には、ＭＦＰ１０１に対応するプリンタ言語に印刷データを変換する機能を有するプリンタドライバがインストールされている。印刷を行いたいユーザは各種のアプリケーションなどから印刷指示を行うことができる。プリンタドライバは印刷指示に基づいてアプリケーションが出力するデータをＭＦＰ１０１が解釈可能な印刷データに変換し、ネットワーク１００に接続されたＭＦＰ１０１に印刷データを送信することができる。
【００１８】
なお、本実施形態では、情報処理装置の一例としてＰＣを例示しているが、例えばスマートフォンやタブレット端末などの携帯情報端末などであってもよい。なお、印刷データを画像形成装置に送信する方法は適宜変形できる。印刷用のアプリケーション又はドライバを介して画像形成装置に印刷データを送信するようにしてもよいし、印刷データをクラウドサーバ経由で画像形成装置へ送信するようにしてもよい。更にはＢｌｕｅｔｏｏｔｈ（登録商標）や近距離無線通信（ＮＦＣ）などの通信方式を使用して印刷データを画像形成装置に送信する送信するようにしてもよい。
【００１９】
次にＭＦＰ１０１について説明する。ＭＦＰ１０１はシート上の画像を読み取る読取機能、シートに画像を印刷する印刷機能を有する。また、ＭＦＰ１０１は、画像が印刷された複数のシートを綴じたり、複数のシートを揃えたり、複数のシートの排出先を複数のトレイに分けたりする後処理機能を有する。なお、シートには、普通紙や厚紙などの用紙、ＯＨＰシートなどが含まれる。
【００２０】
更に、ＭＦＰ１０１は、ＰＣ１０２などの外部装置から受け付けた印刷ジョブや、読み取った画像データをホールドキューに格納するジョブホールド機能を有する。ジョブホールド機能では、ホールドキューに格納されたジョブ（データ）の印刷設定を適宜変更して、印刷を行うことができる。
【００２１】
なお、本実施形態では画像形成装置の一例としてＭＦＰ１０１を説明するが、例えば、読取機能を有さないプリンタ等の画像形成装置であってもよいし、コピー機能を有する単機能の画像形成装置であってもよい。本実施例では、一例として画像形成装置が以下に説明する各種構成要件を備えるものとする。
【００２２】
また、本実施形態では、ＭＦＰ１０１が印刷ジョブを管理するプリントコントローラを同一筐体内に内蔵する場合を例示しているが、これに限定されるものではない。例えばＭＦＰ１０１本体に対して、プリントサーバ等の印刷制御装置（不図示）が接続される構成であってもよい。この場合、後述するジョブの設定変更のフローチャートは印刷制御装置によって実行される。又、例えば、ＭＦＰ１０１本体に対して、後処理機能を実行するシート処理装置を、オプションとして接続可能にしたシステム構成であってもよい。
【００２３】
ＣＰＵ１１１を含む制御部１１０は、ＭＦＰ１０１全体の動作を制御する。ＣＰＵ１１１は、ＲＯＭ１１２又はストレージ１１４に記憶された制御プログラムを読み出して、読取制御や印刷制御などの各種制御を行う。ＲＯＭ１１２は、ＣＰＵ１１１で実行可能な制御プログラムを格納する。また、ＲＯＭ１１２は、ブートシーケンスやフォント情報などを記憶する。ＲＡＭ１１３は、ＣＰＵ１１１の主記憶メモリであり、ワークエリア、ＲＯＭ１１２及びストレージ１１４に格納された各種制御プログラムを展開するための一時記憶領域として用いられる。ストレージ１１４は、画像データ、印刷データ、各種プログラム、各種履歴情報、及び各種設定情報を記憶する。またストレージ１１４には、印刷ジョブを記憶可能なＰｒｉｎｔキューやホールドジョブを記憶可能なＨｏｌｄキューの領域が確保される。
【００２４】
本実施形態ではストレージ１１４としてＨＤＤ等の補助記憶装置を想定しているが、ＨＤＤの代わりにＳＳＤに代表されるＦＬＡＳＨ  ＤＩＳＫを用いるようにしても良い。なお、本実施形態のＭＦＰ１０１では、１つのＣＰＵ１１１が１つのメモリ（ＲＡＭ１１３）を用いて後述するフローチャートに示す各処理を実行するものとするが、他の様態であっても構わない。例えば複数のＣＰＵ、ＲＡＭ、ＲＯＭ、及びストレージを協働させて後述するフローチャートに示す各処理を実行することもできる。また、ＡＳＩＣやＦＰＧＡ等のハードウェア回路を用いて一部の処理を実行するようにしてもよい。
【００２５】
操作部Ｉ／Ｆ１１５は、操作部１１６と制御部１１０を接続する。操作部１１６は、ユーザに対して情報を表示したり、ユーザからの指示を入力したりする。図２は、操作部１１６を示す外観図である。操作部１１６は、後述する操作画面を表示するパネル２０１及びハードキー入力部２０２からなる。パネル２０１は例えばタッチパネルディスプレイである。ハードキー入力部２０２は、スタートボタン２１２や設定ボタン２１１などの各種のハードキーを有する。ユーザはパネル２０１に表示されているキーをタッチする、又はハードキー入力部２０２の各種ハードキーを押下して指示を入力する。なお、パネル２０１は、タッチパネル機能を有さないディスプレイであってもよい。この場合、タッチ操作によるキー入力に代えて、ディスプレイに表示されるキーを選択するためのスクロールキー及び当該キーを決定するための決定キーをハードキー入力部として備えればよい。
【００２６】
操作部１１６は、パネル２０１及び入力部２０２を介したユーザからの指示を受け付け、必要に応じてパネル２０１に操作画面を表示する。
【００２７】
読取部Ｉ／Ｆ１１７は、読取部１１８と制御部１１０を接続する。読取部１１８はシート上の画像を読み取って、その画像をバイナリーデータなどの画像データに変換する。読取部１１８によって生成された画像データは読取部Ｉ／Ｆ１１７を介して画像処理部１２４に転送される。画像処理部１２４は、当該画像データに対して回転、圧縮などの画像処理を行う。画像処理が行われた画像データは、制御部１１０のストレージ１１４又はＲＡＭ１１３に格納される。画像データは通信部Ｉ／Ｆ１２３を介して外部装置に送信されたり、シート上に印刷されたりする。また、画像処理部１２４は、ＪＢＩＧやＪＰＥＧ等といった各種圧縮方式によってＲＡＭ１１３やストレージ１１４に格納された画像データに対して圧縮処理及び伸長処理を実行する。
【００２８】
印刷部Ｉ／Ｆ１１９は、印刷部１２０と制御部１１０を接続する。印刷すべき画像データ（印刷対象の画像データ）は印刷部Ｉ／Ｆ１１９を介して制御部１１０から印刷部１２０に転送される。印刷部１２０はＣＰＵ１１１からの制御コマンド及び印刷すべき画像データを受信し、当該画像データに基づいた画像を用紙などのシート上に印刷する。
【００２９】
シート処理部Ｉ／Ｆ１２１は、シート処理部１２２と制御部１１０を接続する。シート処理部１２２はＣＰＵ１１１からの制御コマンドを受信し、その制御コマンドに従って印刷部１２０により印刷されたシートに後処理を施す。例えば、複数のシートを揃える、複数のシートの排出先を複数のトレイに分ける、中綴じ製本する、パンチ穴をあける、及び複数のシートを綴じるなどの後処理を実行する。また、シート処理部が備える後処理の機能や後処理の能力は、予め（例えば、ＭＦＰ１０１の起動時など）シート処理部Ｉ／Ｆ１２１を介して制御部１１０に通知され、ストレージ１１４又はＲＡＭ１１３に通知される。
【００３０】
本実施形態では、シート処理部１２２は、少なくとも針を使用して複数のシートを綴じる綴じ処理（綴じ手段）と針を使用せずに複数のシートを綴じる綴じ処理（綴じ手段）を実行可能である。
【００３１】
また、制御部１１０は、通信部Ｉ／Ｆ１２３を介してネットワーク１００に接続される。通信部Ｉ／Ｆ１２３は、ネットワーク１００上の外部装置（メールサーバやファイルサーバ、ＰＣなど）に画像データや情報を送信したり、ネットワーク１００上の情報処理装置から印刷データや情報を受信したりする。図１では、情報処理装置の一例としてＰＣ１０２を示している。更に、通信部Ｉ／Ｆ１２３はＵＳＢなどのローカルインタフェースを介して外部装置と通信したりする。通信部Ｉ／Ｆ１２３によって受信された印刷データはストレージ１１４に格納される。
【００３２】
なお、本実施形態のＭＦＰ１０１は印刷データを受け付けるキューを複数備えるものとする。印刷データに設定された投入先のキューがＨｏｌｄキューであれば、ＣＰＵ１１１は、ホールドジョブを生成し、ストレージ１１４又はＲＡＭ１１３のＨｏｌｄキューに投入する。印刷データに設定された投入先のキューがＰｒｉｎｔ若しくは他の指定であれば、ＣＰＵ１１１は、印刷ジョブを生成し、Ｐｒｉｎｔキューに投入する。
【００３３】
通信部Ｉ／Ｆ１２３を介して受信した印刷データは、ストレージ１１４又はＲＯＭ１１２に格納された印刷データを解析するためのソフトウェアモジュール（ＰＤＬ解析部、不図示）によって解析される。ＰＤＬ解析部は、ストレージ１１４に格納された様々な種類のページ記述言語（ＰＤＬ）で表現された印刷データを解析する。印刷データは印刷属性に関するコードと、描画に関するコードからなる。印刷データには、印刷データ全体又はページごとに設定された印刷部数、綴じ処理に関する情報、出力時のシートのサイズ、シートのタイプ及び給紙段などの印刷属性情報が設定される。
【００３４】
ＰＤＬ解析部は印刷データを解析して得られた印刷属性に関する設定（印刷属性情報）をＲＡＭ１１３又はストレージ１１４に一時的に格納する。
【００３５】
更に、ＰＤＬ解析部は印刷データから中間コードを生成する。ＰＤＬ解析部は、印刷データに含まれた描画コードを解析して、中間コードへ変換する。この中間コードは印刷データそのものと比較して、より描画処理（ラスタライズ）に適した形式のデータであり、主にエッジの座標とエッジ間の塗り潰しデータ等で構成されている。
【００３６】
また、ＰＤＬ解析部は、ＰＤＬを解析した結果から、出力するシート枚数などの計算などを行い印刷属性情報としてＲＡＭ１１３又はストレージ１１４に格納する。ＰＤＬ解析部によって取得又は計算された印刷属性情報は印刷データに基づいた印刷処理やシート処理部１２２による後処理を行う際に適宜参照される。
【００３７】
ＣＰＵ１１１はＨｏｌｄキューが指定された印刷データの場合は、ＰＤＬ解析部で解析された中間コードと印刷属性情報を１つの形式にまとめたホールドジョブを生成し、ホールドキューに格納する。一方、Ｐｒｉｎｔキュー若しくは他の指定がなされた印刷データの場合は、中間データをＲＩＰ１２５で画像データへ変換した印刷ジョブを生成する。
【００３８】
また、ＰＤＬ解析部で生成された中間コードはＲＩＰ１２５によって画像データに変換される。ＲＩＰ１２５は、ＰＤＬ解析部によって生成された中間コードに対してレンダリング処理を行い、印刷部１２０で印刷する画像データを生成する。ＲＩＰ１２５によって生成された画像データは、印刷ジョブとして１つの形式にまとめられ、制御部１１０のストレージ１１４又はＲＡＭ１１３のＰｒｉｎｔキューに投入される。Ｐｒｉｎｔキューに投入された印刷ジョブは印刷部１２０によりシート上に印刷される。
【００３９】
次に、シートへの印刷処理及び後処理について説明する。図３は、ＭＦＰ１０１の断面図である。図３では、シート処理部１２２はＭＦＰ１０１の筺体内部に配置されている。ただし、シート処理部１２２の配置は図３の例に限らない。シート処理部１２２がＭＦＰ１０１に隣接するように接続されていてもよい。
【００４０】
給紙部３０１及び給紙部３０２はそれぞれ、シートを格納する。図３では、ＭＦＰ１０１は２つの給紙部を有しているが、給紙部の数は２つに限らない。給送ローラ３０３は給紙部３０１に格納されているシートを印刷部１２０に給送する。また、給送ローラ３０４は給紙部３０２に格納されているシートを印刷部１２０に給送する。印刷部１２０は、給送されてきたシートの第１面に画像を印刷する。印刷部１２０は、インクをシートに吹き付けて画像を印刷するインクジェット方式を採用していても、トナーをシートに定着させて画像を印刷する電子写真方式を採用していてもよい。
【００４１】
片面印刷の場合には、印刷されたシートは搬送ローラ３０５及び３０６に導かれシート処理部１２２に搬送され、中間トレイ３２０へ排出される。
【００４２】
中間トレイ３２０は、シート搬送方向の下流側（図の左側）を鉛直方向の上方に、上流側（図の右側）を鉛直方向の下方に位置させることで傾斜が設けられており、複数のシートを保持することができる。また、中間トレイ３２０は、下流側に配された１組の上部及び下部の束排出ローラ３１８ａ、３１８ｂからなる束排出ローラ対３１８と、中間部上方に配される引込みパドル３１５とを有している。上部束排出ローラ３１８ａは、ガイド３１７に支持されている。
【００４３】
このガイド３１７は、モータ（不図示）により上下に移動可能に構成されている。このため、ガイド３１７に設けられた上部束排出ローラ３１８ａが、ガイド３１７の昇降動作に伴って下部束排出ローラ３１８ｂに対して離接可能となっている。従って、中間トレイに保持されたシート束の厚さに応じて、これら束排出ローラ対３１８のローラの間隔を調整可能になっている。
【００４４】
ＣＰＵ１１１は、上部束排出ローラ３１８ａに対して下部束排出ローラ３１８ｂを離間した状態となるようにガイド３１７を上部に移動させた状態で、搬送ローラ３０６によって排出されるシートＰを中間トレイ３２０上に受け入れる。
【００４５】
また、中間トレイ３２０上の、シート搬送方向に直交する幅方向の手前側と奥側には、整合部材３２１が設けられる。整合部材３２１はそれぞれ、前整合モータ（不図示）および後整合モータ（不図示）によって幅方向に移動する。ここで、「手前」とは、図３に記載されている向きでＭＦＰ１０１を見て紙面手前になる部分を言い、「奥」とは、紙面奥の部分を言う。引込みパドル３１５は、回転軸を中心としてストッパ３１６側へシートを押圧する方向（例えば図３においては反時計周り）に回転する。
【００４６】
搬送ローラ３０６に導かれ、中間トレイ３２０に排出されたシートＰは、中間トレイ３２０の傾斜及び引き込みパドル３１５のシートを押圧する作用によって、中間トレイ３２０の積載面上、又は中間トレイ３２０に積載されたシート上を滑降する。中間トレイ３２０上に排出されたシートは、滑降中に整合部材３２１によって整合処理が施され、シート後端（排出方向上流端）がストッパ３１６に突き当たることで停止する。
【００４７】
中間トレイ３２０上で整合されたシート束は、必要に応じて針使用綴じ部３１４ａ又は針不使用綴じ部３１４ｂによる綴じ処理が行われる。針使用綴じ部３１４ａ及び針不使用綴じ部３１４ｂは、シート搬送方向に対して垂直方向に移動可能に構成され、ユーザが指定した綴じ位置に移動することができる。綴じ部３１４ａ及び３１４ｂは中間トレイ３２０上に保持されたシート束の搬送方向に対する後端部を綴じることができる。
【００４８】
シート処理部１２２によって綴じ処理などの後処理が行われたシート束は、排出部３０７に排出される。具体的には、束排出ローラ３１８ａを中間トレイ３２０上の最上部のシートに当接させるようにガイド３１７を移動させ、当該当接した状態で、束排出ローラ対３１８を回転駆動させることにより、後処理を終えたシート束を排出部３０７上に排出する。
【００４９】
次に、両面印刷の場合には、印刷部１２０で第１面が印刷されたシートは搬送ローラ３０８に導かれ、搬送ローラ３０８はシートを搬送ローラ３０９に搬送する。搬送ローラ３０９はシートを反転パス３１０に搬送する。シートの後端が搬送ローラ３０９に到達すると、搬送ローラ３０９は逆回転し始め、シートを搬送ローラ３１１に搬送する。搬送ローラ３１１は両面印刷用搬送パス３１２を介してシートを搬送ローラ３１３に搬送する。搬送ローラ３１３はシートを印刷部１２０に搬送する。印刷部１２０はシートの第２面に画像を印刷する。両面印刷されたシートは搬送ローラ３０５及び３０６に導かれ、搬送ローラ３０５及び３０６はシートをシート処理部１２２に搬送し、片面印刷の場合と同様に綴じ処理などの後処理が実行される。
【００５０】
図４は、綴じ部３１４ａ又は３１４ｂの綴じ位置を説明するための図である。４０３は複数のシートを示す。シート処理部１２２はＣＰＵ１１１から受信した綴じ処理に関する情報に従って綴じ部３１４ａ又は３１４ｂを綴じ位置に移動させて複数のシートを綴じる構成となっている。例えば、ＣＰＵ１１１は、綴じ部３１４ａ又は３１４ｂを位置４１１や位置４１２等に移動させ、位置４１１や位置４１２で複数のシート束４０３を綴じることができる。
【００５１】
また、針使用綴じ部３１４ａと針不使用綴じ部３１４ｂは１つのユニットとしてシート処理部１２２内に備えられてもよい。また図４では、綴じ部３１４ａ及び３１４ｂの移動可能領域を図示しているが、これよりさらに広い移動領域であってもよい。また、針不使用綴じ部３１４ｂと針使用綴じ部３１４ｂ（不図示）をそれぞれ別のユニットとして備える場合には、各ユニットの物理的な干渉を避けるための退避領域などが設けられていてもよい。
【００５２】
針使用綴じ部３１４ａは、中間トレイ３２０上に排出された複数のシートにステイプル針（不図示）を打ち込むことで綴じ処理（以下、針使用ステイプル）を行う。針使用綴じ部３１４ａにはステイプル針を装填したカートリッジ（不図示）が格納される。ユーザはカートリッジを交換することで針を補充することができる。
【００５３】
ＣＰＵ１１１は針使用綴じ部３１４ａが綴じることのできる上限枚数（例えば普通紙で５０枚など）をシート処理部１２２及びシート処理部Ｉ／Ｆ１２１を介して適宜取得し、ＲＡＭ１１３又はストレージ１１４に格納する。なお、上限枚数に関する情報は後述するフローチャートで利用される。なお、カートリッジに装填されたステイプル針の長さなどによって上限枚数は異なってもよい。また、針使用綴じ部３１４ａの上限枚数は、シートの種類ごとに異なる上限枚数を使用するようにしてもよい。また、シートのサイズによって上限枚数を異ならせるようにしてもよい。
【００５４】
図５（ａ）は、綴じ処理の針不使用綴じ部３１４ｂによる針を使用せずに複数のシートを綴じる綴じ処理（以下、針不使用ステイプル）を説明する図である。本実施形態では、複数のシートの上下から圧力をかけて、シート束４０３を密着させて綴じる。図５（ａ）は、針不使用綴じ部３１４ｂがシート束４０３を綴じるための綴じ位置に移動した状態を示す。上金型５０１は複数のシートを上から押さえつける。上金型５０１には複数の凸形状の刃５０２が並んでいて、それぞれの刃５０２がシートに圧力をかける。下金型５０５は複数のシートを下から押さえつける。下金型５０５には、複数の刃５０２に対応した複数の凹部５０４が並んでいて、それぞれの凹部５０４が刃５０２を受け止める。
【００５５】
図５（ｂ）は、上金型５０１と下金型５０５が複数のシートを上下方向から加圧した状態を示す。上金型５０１と下金型５０５が複数のシートに加圧することで、複数のシートを綴じることが可能になっている。また、複数の刃５０２と複数の凹部５０４がシートの複数箇所を加圧するため、シートがはがれにくくなっている。
【００５６】
ＣＰＵ１１１は針不使用綴じ部３１４ｂが綴じることのできる上限能力（例えば、普通紙で５枚など）をシート処理部１２２及びシート処理部Ｉ／Ｆ１２１を介して適宜取得し、ＲＡＭ１１３又はストレージ１１４に格納する。なお、上限能力に関する情報は後述するフローチャートで利用される。
【００５７】
本実施形態では、針不使用綴じ部３１４ｂの上限枚数は、シートの種類ごとに異なる上限枚数が設定されていてもよい。また、シートの種類によっては針不使用ステイプルを禁止するようにしてもよい。更にシートのサイズによって上限枚数を異ならせるようにしてもよい。
【００５８】
図５（ｃ）は、綴じ処理が実行された後のシート束４０３を示す図である。図５（ｃ）に示すように、針不使用ステイプルがなされたシート束４０３は、シートの一部が潰されてシート同士が圧着することで綴じられている。
【００５９】
また図６は、針使用ステイプルが実行された後のシート束４０３を示す図である。図６に示すように、針使用ステイプルがなされたシート束４０３は、シート束４０３を貫通させた金属のステイプル針６０１によって綴じられている。
【００６０】
ここまで説明したように、針不使用ステイプルは、シート同士を圧着して綴じるため、針を貫通させて綴じる針使用ステイプルに比べて、綴じる事の出来る枚数が少ない。また、針不使用ステイプル及び針不使用ステイプルはシートの表面性や坪量などでシート同士の圧着力が変化するため、シートの種類ごとに綴じることのできる上限枚数が変化する。
【００６１】
本実施形態のＭＦＰ１０１はジョブホールド機能を備えており、ホールドキューに格納されたホールドジョブの設定を変更することができる。従って、綴じ処理が設定されたホールドジョブに設定変更が行われた場合は、印刷するシート枚数やシートの種類等が変更となる場合がある。この設定変更に伴い、ジョブに設定された綴じ処理がジョブ投入時の思惑とは異なってしまうことが生じ得る。また、針使用ステイプルが設定されたジョブの設定を変更した際に、印刷するシートの枚数が減り、針不使用ステイプルでも綴じる事ができる枚数となる場合がある。
【００６２】
本実施形態では、これらの問題に鑑み、当該綴じ処理の設定がなされたジョブの設定を変更した際に、設定変更の内容に応じて、ユーザに対して綴じ処理を変更するか否かの問い合わせを行うことについて説明する。
【００６３】
ユーザがＭＦＰ１０１の使用を開始すると、実行する処理を選択するためのホーム画面（不図示）が表示される。ユーザは操作部１１６を介してジョブホールド機能やコピー機能、送信機能などのＭＦＰ１０１が備える機能を選択することができる。
【００６４】
図７（ａ）、（ｂ）は、ＣＰＵ１１１が操作部１１６のパネル２０１に表示する操作画面の一例を示す図である。ユーザは図７（ａ）、（ｂ）の画面を介してホールドキューに格納されたホールドジョブに対する処理を行う。
【００６５】
領域７００はホールドされたジョブの一覧を表示するための領域であり、１行ごとにホールドされたジョブの情報を表示する。項目７０６はホールドされたジョブの名称をユーザに示す項目であり、項目７０７はホールドされたジョブを投入したユーザ名を示す項目である。また、項目７０８はホールドされたジョブが投入された時間を示す項目である。また、項目７０９はジョブの選択状態を示す項目であり、選択されたジョブに対してチェックマークを付加することで選択されたジョブを示している。また、項目７０９ではジョブが選択された順に番号を表示し、選択されたジョブを印刷する順序をユーザに対して示している。なお、本実施形態では、ホールドジョブを印刷する機能について説明したが、これに限定されず、ホールドされたジョブに含まれる画像データやＰＤＦデータなどを外部装置に送信する機能を備えていてもよい。
【００６６】
また、キー７１９及びキー７２０はスクロールキーであり、領域７００に収まらない数のジョブを表示する場合に表示される行をスクロールするためのキーである。
【００６７】
なお、本実施形態ではホールドされたジョブの情報として項目７０６乃至項目７０９の情報をリスト表示するようにしているがこれに限定されるものではない。例えば、ページ数や、ステイプル設定、又は他の設定情報などの情報など、ユーザがジョブを特定するために必要な情報を適宜表示することができる。
【００６８】
ユーザは指やタッチペンなどのオブジェクト７３０で領域７００に表示された各行をタッチして指定することで、リスト表示された各ジョブの選択状態を切り替えることができる。
【００６９】
図７（ａ）は、行７０４がオブジェクト７３０によってタッチされ、「Ｊｏｂ  Ｂ」が選択された場合を例示している。ここで、行７０１乃至行７０４は、選択されたジョブを示している。また、行７０２は選択されているとともに最後に選択されたジョブを示している。ＣＰＵ１１１は最後に選択されたジョブに対応する行に背景色を付けて、当該ジョブをユーザに通知する。行７０５は選択されていないジョブを示している。ユーザはキー７１５又はキー７１６を使用して最後に選択されたジョブの印刷設定や用紙設定を変更することができる。以降、本実施形態では最後に選択されたジョブを「対象のジョブ」と呼ぶこととする。
【００７０】
ユーザは選択されていないジョブに対応する行をタッチすることで、当該ジョブを選択することができる。また、オブジェクト７３０によって最後に選択された１つのジョブが対象のジョブとなる。
【００７１】
また、ユーザは選択されたジョブに対応する行の領域をタッチすることで、当該ジョブの選択を解除することができる。図７（ｂ）は、選択された行７０２がオブジェクト７３０によってタッチされ、「Ｊｏｂ  Ｄ」の選択が解除された状態を示している。ユーザ操作により２「Ｊｏｂ  Ｄ」の選択が解除されると、図７（ｂ）に示すように行７０３の「Ｊｏｂ  Ｆ」と行７０４の「Ｊｏｂ  Ｂ」の印刷順序が繰り上がる。
【００７２】
なお、ジョブの選択が解除される場合は、最後の操作によりジョブの選択が解除された状態となるため、「Ｊｏｂ  Ｂ」は対象のジョブではなくなる。なお、図７（ｂ）に示すように対象のジョブがない場合は、キー７１５及びキー７１６をグレーアウト表示するようにしてもよい。
【００７３】
また、キー７１１は、選択されたジョブに対する印刷の実行指示（開始指示）を行うためのキーであり、キー７１８は選択されたジョブをホールドキューから削除するためのキーである。ＣＰＵ１１１は、キー７１１がタッチされたと判断すると、当該選択されたホールドジョブを印刷ジョブに変換して、Ｐｒｉｎｔキューに投入する。Ｐｒｉｎｔキューに投入されたジョブは印刷部１２０によりシート上に印刷される。一方ＣＰＵ１１１はキー７１８がタッチされたと判断すると、当該選択されたホールドジョブをホールドキューから削除する。
【００７４】
また、キー７１２はジョブの選択を解除するためのキーである。キー７１３は、全てのジョブを選択された状態に変更するためのキーである。キー７１４は、選択されたジョブの印刷後に当該ジョブを削除するか否かを設定するためのキーである。
【００７５】
キー７１５は、対象のジョブの印刷設定を変更するためのキーである。ユーザはキー７１５をタッチすることで、印刷部数、カラーモード（モノクロ又はカラー）、色調設定、印刷方法設定（片面印刷又は両面印刷）、ページ集約、ステイプルの種類、及び表紙設定など、ジョブに対する様々な設定を適宜変更することができる。また、キー７１６は、対象のジョブの用紙設定（印刷するシートの種類）を変更するためのキーである。
【００７６】
図８乃至図９は、操作部１１６のパネル２０１に表示される設定変更画面の一例である。図８（ａ）は、ステイプルに関する設定変更を行う画面の一例を示す図である。ＣＰＵ１１１はキー７１５がタッチされたと判断すると、印刷設定を変更するための印刷設定画面（不図示）を表示する。本実施形態では、印刷設定の一項目としてステイプルに関する設定があり、ユーザが印刷設定画面（不図示）からステイプルに関する設定変更を選択すると図８（ａ）の画面に遷移するものとする。
【００７７】
ユーザは図８（ａ）の画面を介してステイプルに関する設定を変更する。キー８０２はステイプルの種類として針使用ステイプルを設定する際に用いるキーである。またキー８０３はステイプルの種類として針不使用ステイプルを設定する際に用いるキーである。キー８０２及びキー８０３は排他設定であり、いずれか一方のキーを選択できる。また、キー８０２及びキー８０３のいずれも選択されない場合は、綴じ処理を行わない設定となる。情報８０４は綴じ処理を行う位置をユーザに通知するための情報である。また、キー８０５乃至キー８０８は綴じ位置を選択するためのキーである。
【００７８】
また、キー８１２は、設定変更されたステイプルに関する設定を保存して設定画面を閉じるためのキーである。キー８１２がタッチされるとＣＰＵ１１１は画面を介してなされた設定を適用する。一方、キー８１１は、ユーザにより変更されたステイプルに関する設定を破棄して、設定画面を閉じるためのキーである。
【００７９】
ここで、「針使用ステイプル」の設定がなされたホールドジョブを「針不使用ステイプル」に変更すると、綴じ処理が可能な上限枚数が普通紙で５０枚程度から普通紙で５枚程度に代わる。従って、印刷するシートの枚数によっては、綴じ処理が可能な上限枚数を超えてしまう場合がある。
【００８０】
次に、図８（ｂ）は、ページ集約及び印刷方法に関する設定変更を行う画面の一例である。本実施形態では、印刷設定の一項目としてページ集約及び印刷方法に関する設定があり、ユーザが印刷設定画面（不図示）からページ集約及び印刷方法に関する設定変更を選択すると、図８（ｂ）の画面に遷移するものとする。
【００８１】
ユーザは図８（ｂ）の画面を介してページ集約設定、印刷方法設定、用紙サイズの変更を行うことができる。キー８２０は１面に２ページを割り付けて印刷するように設定する場合に使用するキーであり、キー８２１は１面に４ページを割り付けるように設定する場合に使用するキーである。またキー８２２は１面に８ページを割り付けるように設定する場合に使用するキーである。キー８２０乃至キー８２２は排他設定であり、いずれか１つのキーを選択できる。また、キー８２０乃至キー８２２のいずれも選択されない場合は、１面に１ページを印刷する設定となる。なお、キー８２５は、割り付けの配置順などの詳細設定を行う場合に使用するキーである。
【００８２】
また、キー８２３は印刷する用紙サイズ（シートサイズ）を変更する際に使用するキーである。キー８２４は、印刷方法を切り替えるためのキーである。キー８２４では、シートの表面に印刷する片面印刷を行うかシートの両面に印刷する両面印刷を行うかを切り替えることができる。図８（ｂ）では、キー８２４がＯＦＦの場合を例示しており、片面印刷が設定された状態である。
【００８３】
また、キー８１１は設定を破棄する場合に使用するキーであり、キー８１２は設定を適用する際に使用するキーである。
【００８４】
例えば、ページ数が１０ページで、「２ｉｎ１、両面印刷」の設定がなされたホールドジョブを「ページ集約無し、片面印刷」に変更する場合、印刷するシート枚数が３枚から２０枚に増加することとなる。
【００８５】
また例えば、ページ数が３０ページで「ページ集約無し、片面印刷」の設定がなされたホールドジョブを「４ｉｎ１、両面印刷」に変更する場合、印刷するシート枚数が３０枚から４枚に減少することとなる。このようにページ集約機能や印刷方法を変更すると印刷するシート枚数が増減する。
【００８６】
次に、図９（ａ）は、表紙設定に関する設定変更を行う画面の一例である。本実施形態では、印刷設定の一項目として表紙設定に関する設定があり、ユーザが印刷設定画面（不図示）から表紙設定に関する設定変更を選択すると、図９（ａ）の画面に遷移するものとする。
【００８７】
キー９０１は表紙を付加する場合に使用するキーである。またキー９０２は表紙に用いる用紙の種類（シートの種類）を設定するためのキーである。一方、キー９０３はウラ表紙を付加する場合に使用するキーである。キー９０４はウラ表紙に元いる用紙の種類（シートの種類）を設定するためのキーである。
【００８８】
キー８１１は設定を破棄する場合に使用するキーであり、キー８１２は設定を適用する際に使用するキーである。
【００８９】
図９（ａ）の画面を介して表紙及びウラ表紙に関する設定が変更された場合も、印刷するシートの枚数が増減することとなる。
【００９０】
次に、図９（ｂ）は、用紙設定に関する設定変更を行う画面の一例を示す図であり、印刷するシートとして行９０７に示す「普通紙１（８０〜９０ｇ／ｍ２）」が選択されている場合を例示している。ＣＰＵ１１１は、キー７１６がタッチされたと判断すると、操作部１１６に図９（ｂ）に示す用紙設定画面を表示する。ユーザは図９（ｂ）の画面を介して対象のジョブで使用する用紙設定を変更することができる。
【００９１】
領域９００はシートの一覧を表示するための領域であり、１行ごとに用紙（シート）の情報を表示する。項目９０５は登録されているシートの名称をユーザに提示するものである。また、項目９０６はシートの坪量をユーザに通知するものである。また、キー９０９及びキー９１０はスクロールキーである。
【００９２】
ユーザは、領域９００に表示された各行をタッチすることで印刷に用いるシートの種類を選択することができる。なお、本実施形態では、印刷全体のシートの設定を変更する場合を例示したが、例えば、ページ毎にシートの種類を変更できるようにしてもよい。
【００９３】
また、キー８１１は設定を破棄する場合に使用するキーであり、キー８１２は設定を適用する際に使用するキーである。
【００９４】
なお、綴じ処理が可能な上限枚数をシートの種類ごとに持つようにしてもよい。この場合、図９（ｂ）の画面を介して印刷に使用するシートの種類が変更されると、針不使用ステイプルや針不使用ステイプルで綴じることのできる上限枚数が変化する。この場合、綴じ処理が可能な上限枚数はシートの坪量や表面性に基づいて設定すればよい。例えば、ＯＨＰシートや厚紙などのシートは、普通紙より少ない上限枚数となり、薄紙などのシートは、普通紙より多い上限枚数となる。また、シートによっては綴じ処理が可能な上限枚数が０枚に設定されてもよい。この場合、上限枚数が０枚のシートに対しては、綴じ処理が行われない。図８（ｂ）、図９（ａ）、図９（ｂ）の画面はステイプル設定に影響を与える可能性のある設定変更を例示したものであるが、これに限定するものではない。例えば、設定変更により印刷するシート枚数や、シートの種類が変更となる設定変更であれば他のものであってもよい。
【００９５】
次に本実施形態の設定変更の制御方法について説明する。図１０は、ホールドジョブの設定変更の制御を示すフローチャートである。図１０に示すフローチャートの各動作（ステップ）は、ＣＰＵ１１１がＲＯＭ１１２又はストレージ１１４に記憶された制御プログラムをＲＡＭ１１３に読み出し、実行することにより実現される。
【００９６】
ユーザが操作部１１６に表示されるキー７１５又はキー７１６をタッチすると、ＣＰＵ１１１は図１０のフローチャートに対応する制御プログラムを実行する。ステップＳ１００１では、ＣＰＵ１１１は、操作部１１６へのキー入力に基づいてジョブ設定の設定変更を受け付ける。ステップＳ１００２では、ＣＰＵ１１１は、キー８１１がタッチされたことを判断する。キー８１１がタッチされた場合は、ステップＳ１００９に進む。ステップＳ１００９ではステップＳ１００１で受け付けた設定変更を破棄するとともに、図７に示すホールドジョブリストに画面を遷移して処理を終了する。一方、キー８１１がタッチされていない場合は、ステップＳ１００３に進む。
【００９７】
ステップＳ１００３では、ＣＰＵ１１１はキー８１２がタッチされることを判断する。キー８１２がタッチされた場合はステップＳ１００４に進む。一方、キー８１２がタッチされていない場合は、ステップＳ１００１に戻り、更なるジョブ設定の変更を受け付ける。
【００９８】
ステップＳ１００４では、ＣＰＵ１１１は、ＲＡＭ１１３又はストレージ１１４に格納された対象のジョブの印刷属性情報を参照し、綴じ処理（ステイプル処理）が設定されているか否かを判断する。ジョブの印刷属性として綴じ処理が指定されていると判断した場合はステップＳ１００５に進む。一方、綴じ処理が指定されていないと判断した場合はステップＳ１０１１に進む。
【００９９】
ステップＳ１００５では、ＣＰＵ１１１は、対象のジョブに設定されたステイプル処理の種類を判断する。針使用ステイプルが選択されている場合は、ステップＳ１０１２に進み、針不使用ステイプルが選択されている場合は、ステップＳ１００６に進む。
【０１００】
まずステップＳ１００６以降の針不使用ステイプルが選択された場合の設定制御について説明する。ステップＳ１００６では、ＣＰＵ１１１は、設定変更を適用した場合に印刷すべきシート枚数が針不使用ステイプルを行うことができる上限枚数以内であるかを判断する。ＣＰＵ１１１は、ストレージ１１４又はＲＡＭ１１３に格納された針不使用綴じ部３１４ｂの上限枚数を取得する。なお、シートの種類ごとに上限枚数が設定されている場合は、ジョブに設定されたシートの種類をキーとして、当該シートの種類に対応する上限枚数を取得する。ＣＰＵ１１１は、設定変更を適用した場合に印刷すべきシート枚数が取得した上限枚数以内であると判断すると、ステップＳ１０１１に進む。一方、ＣＰＵ１１１は設定変更を適用した場合に印刷すべきシート枚数が取得した上限枚数よりも多いと判断すると、ステップＳ１００７に進む。なお、シートの種類ごとに上限枚数が設定されている場合は、シートの種類によっては綴じ処理が可能な上限枚数が０枚となる場合もある。
【０１０１】
ステップＳ１００７では、ＣＰＵ１１１はステイプル種類を針使用ステイプルに変更するか、印刷設定の変更をキャンセルするかをユーザに問い合わせる問い合わせ画面（ポップアップ画面）を表示する。図１１（ａ）は、ＣＰＵ１１１が操作部１１６のパネル２０１に表示する操作画面の一例を示す図である。情報１１０１は、設定変更を適用すると針不使用ステイプルが使用できない設定となること及び、当該問い合わせを介してステイプル種類を変更できることをユーザに通知する情報である。
【０１０２】
キー１１０２はステイプル種類を針使用ステイプルに変更して、設定変更を適用する場合に使用するキーである。一方キー１１０３はステップＳ１００１で受け付けた設定変更を破棄する場合に使用するキーである。
【０１０３】
図１０の説明に戻りステップＳ１００８では、ＣＰＵ１１１は図１１（ａ）のポップアップ画面を介したユーザ操作を受け付ける。キー１１０２がタッチされた場合は、ステップＳ１０１０に進み、キー１１０３がタッチされた場合は、ステップＳ１００９に進む。ステップＳ１０１０では、ＣＰＵ１１１は、針使用ステイプルを有効（ＯＮ）、針不使用ステイプルを無効（ＯＦＦ）に設定し、ステップＳ１０１１に進む。
【０１０４】
ステップＳ１０１１では、ＣＰＵ１１１は、ＲＡＭ１１３又はストレージ１１４に格納された対象のジョブの印刷設定を変更する。また、ＣＰＵ１１１は、図７に示すホールドジョブの画面に遷移して処理を終了する。
【０１０５】
次に、ステップＳ１０１２以降の対象のジョブに設定されたステイプル種類が針使用ステイプルである場合について説明する。
【０１０６】
ステップＳ１０１２では、ＣＰＵ１１１は、印刷属性情報を参照し、設定変更を適用した場合に印刷すべきシート枚数が針不使用ステイプルを行うことができる上限枚数以内であるかを判断する。ＣＰＵ１１１は、ストレージ１１４又はＲＡＭ１１３に格納された針不使用綴じ部３１４ｂの上限枚数を取得する。なお、シートの種類ごとに上限枚数が設定されている場合は、ジョブに設定されたシートの種類をキーとして、当該シートの種類に対応する上限枚数を取得する。
【０１０７】
ＣＰＵ１１１は、設定変更を適用した場合に印刷すべきシート枚数が取得した上限枚数以内であると判断すると、ステップＳ１０１３に進む。一方、ＣＰＵ１１１は印刷するシート枚数が取得した上限枚数よりも多いと判断すると、ステップＳ１０１１に進み、設定を適用して処理を終了する。
【０１０８】
ステップＳ１０１３では、ＣＰＵ１１１は針不使用ステイプルへ変更するか否かを問い合わせる問い合わせ画面（ポップアップ画面）を表示する。図１１（ｂ）はＣＰＵ１１１が操作部１１６のパネル２０１に表示する操作画面の一例を示す図である。情報１１１１は、設定変更により針不使用ステイプルが使用できる設定となること及び、当該問い合わせを介してステイプル種類を変更できることをユーザに通知する情報である。
【０１０９】
キー１１１２は、ステイプル種類を針不使用ステイプルに変更して、設定変更を適用する場合に使用するキーである。一方、キー１１１３はステイプル種類を変更せず（針使用ステイプルのまま）、設定変更を適用する場合に使用するキーである。
【０１１０】
図１０の説明に戻り、ステップＳ１０１４では、ＣＰＵ１１１は、図１１（ｂ）のポップアップ画面を介したユーザ操作を受け付ける。キー１１１２がタッチされたと判断すると、ステップＳ１０１５に進み、キー１１１３がタッチされたと判断すると、ステップＳ１０１１に進む。
【０１１１】
ステップＳ１０１５では、ＣＰＵ１１１は、針使用ステイプルを無効（ＯＦＦ）、針不使用ステイプルを有効（ＯＮ）に設定し、ステップＳ１０１１に進む。ステップＳ１０１１では、設定を適用して処理を終了する。
【０１１２】
このように、第１の実施形態では、ジョブに対して設定変更を適用した場合に、印刷すべきシート枚数と針不使用ステイプルの上限枚数を比較して、利用できるステイプルの種類に変動がある場合に問い合わせを行う。針不使用ステイプルが設定されたジョブを比較した際に、針不使用ステイプルで綴じる事が出来ない枚数に変更となる場合は、針使用ステイプルに変更するか否かをユーザに問い合わせる。従ってユーザは設定変更に連動して適切なステイプルの種類に変更することができる。また、ユーザは問い合わせ画面によって設定変更を取り消して針不使用ステイプルで綴じることのできる設定を維持することができる。
【０１１３】
更に、第１の実施形態では針使用ステイプルが設定されたジョブを比較した際に、針不使用ステイプルで綴じる事が出来る枚数に変更となる場合は、針不使用ステイプルが利用できる旨をユーザに問い合わせる。従ってユーザは設定変更に連動してステイプルの種類を再選択することができる。
【０１１４】
なお、本実施形態では、図１１（ａ）のキー１１０３がタッチされた場合に、設定を破棄し、図７に示すジョブホールド機能の画面に遷移する場合を例示したが、これに限定されるものではない。例えば、図１１（ａ）のキー１１０３をタッチした場合に、設定変更を保持したまま、ステップＳ１００１に戻るようにしてもよい。この場合、ユーザは設定を再度調整して、設定変更をリトライすることができる。
【０１１５】
また、本実施形態ではキー８１２がタッチされた場合に、利用できるステイプルの種類に変動が有るか否かを判断する場合を例示したがこれに限定されるものではない。例えば、ユーザがシート枚数やシートの種類に関連するキーを選択する度に判断を行うようにしてもよいし、何らかのキーがタッチされるたびに判断を行ってもよい。
【０１１６】
＜第２の実施形態＞
第１の実施形態では、ホールドジョブの設定変更時に、設定変更の内容に応じてユーザに対して綴じ処理に関する問い合わせを行うことについて説明した。第２の実施形態の画像処理装置では、第１の実施形態に加えてプリンタドライバ等から綴じ処理の種類を印刷時に設定するジョブを投入できる場合におけるステイプル種類の設定方法について説明する。
【０１１７】
なお、第２の実施形態において、前提となる装置のハードウェア構成は第１の実施形態と同様である。第１の実施形態と同様の構成については、詳細な説明は省略する。
【０１１８】
ＰＣ１０２は、ＭＦＰ１０１に印刷データを送信する際に、プリンタドライバの提供する印刷設定画面を介して印刷データに各種設定を行うことができる。
【０１１９】
図１２は、ＰＣ１０２の表示部（不図示）上に表示される印刷データを設定するための印刷設定画面（ウィンドウ）の一例を示す図であり、仕上げ設定を行うタブ１２０１がアクティブである状態を示している。なお、ページ設定のタブでは、ページ集約の設定やスタンプ印字の設定等を行うことができ、給紙のタブでは、印刷に使用するシートの種類や給紙するカセットの指定等を行うことができる。印刷品質のタブでは印刷モードの設定やカラーモードの設定などを行うことができる。
【０１２０】
また、ユーザはタブ１２０１を選択して仕上げに関する設定を行うことができる。領域１２０２は、印刷データの出力方法を選択するための領域であり、「ホールド」が選択されている。出力方法には「印刷」、「追い越し印刷」、「ホールド」などの項目があり、「印刷」、「追い越し印刷」などが選択された場合は、前述したｐｒｉｎｔキューに投入される。一方、「ホールド」が選択された場合は、前述したｈｏｌｄキューに投入される。
【０１２１】
領域１２０３は、排紙方法を設定するための領域であり、「ステイプル＋ソート」が選択されている。排紙方法には「ステイプル＋ソート」、「ステイプル＋グループ」、「グループ」、「ソート」などの項目がある。「ソート」は部ごとに揃えて仕上げたい場合に選択する項目である。例えば、５ページ１０部の印刷の場合は、１部に対応する５枚のシートを１束として排出する。「グループ」は、ページ毎に揃えて仕上げたい場合に選択する項目である。たとえば、５ページ１０部の印刷の場合は、同一ページに対応する１０枚のシートを１束として排出する。「ステイプル＋ソート」は部ごとの１束に綴じ処理を行って仕上げたい場合に選択する項目である。また「ステイプル＋グループ」は同一ページごとの１束に綴じ処理を行って仕上げたい場合に選択する項目である。
【０１２２】
またボタン１２０５乃至１２０７は、ステイプルの種類を選択するためのラジオボタンであり、領域１２０３で綴じ処理を行う項目が設定された場合に選択可能なボタンである。
【０１２３】
ボタン１２０５は、針使用ステイプルで綴じ処理を行いたい場合に選択するボタンである。ボタン１２０６は針不使用ステイプルで綴じ処理を行いたい場合に選択するボタンである。ボタン１２０７は、綴じ処理は行うが、印刷時に綴じ処理を行うステイプル種類を指定したい場合に使用するボタンである。ボタン１２０５乃至１２０７は排他動作となっており、いずれか１つのボタンが選択状態となる。
【０１２４】
また、キー１２１１は図１２のウィンドウを介してなされた印刷設定を印刷データに適用する場合に使用するキーであり、キー１２１２は図１２のウィンドウを介してなされた印刷設定を破棄する場合に使用するキーである。ユーザは図１２のウィンドウを介して印刷設定を行った印刷データをＭＦＰ１０１に送信することができる。
【０１２５】
このように本実施形態では、ステイプルの種類として、「印刷時に設定」を選択することができる。なお、本実施形態では、ステイプルの種類を選択するケースとして印刷データをＭＦＰ１０１に送信する場合を例示したがこれに限定されるものではない。例えば、読取部１１８が原稿を読み取ってホールドジョブを生成する場合などにも適用できる。
【０１２６】
次に、本実施形態におけるジョブホールド機能について説明する。図１３は、第１の実施形態の図７（ａ）に替えて表示するジョブホールド機能におけるメイン画面の一例である。図１３では、図７（ａ）の各項目に加えて項目１３０１が追加される。項目１３０１は、ステイプルの種類を表示するための項目である。マーク１３０２は、ステイプルの種類として「印刷時に設定」が指定されたジョブであることをユーザに通知するためのマークである。なお、本実施形態では、「印刷時に設定」が指定されたジョブにマークを表示するようにしているが、例えば、針使用ステイプルや針不使用ステイプルが指定されたジョブに対して各ステイプルの種類に対応するマークを表示するようにしてもよい。
【０１２７】
キー７１５及びキー７１６で変更することができる設定項目は第１の実施形態と同様であるため詳細は省略する。
【０１２８】
まず、キー７１５及びキー７１６を介した設定変更に関する制御について図１０及び図１６のフローチャートを用いて説明する。第２の実施形態では第１の実施形態に加えて、ステイプルの種類を印刷時に設定することが指定されたホールドジョブに関する制御を行う。図１０及び図１６は第１の実施形態におけるホールドジョブの設定変更の制御を示すフローチャートである。図１０及び図１６に示すフローチャートの各動作（ステップ）は、ＣＰＵ１１１がＲＯＭ１１２又はストレージ１１４に記憶された制御プログラムをＲＡＭ１１３に読み出し、実行することにより実現される。
【０１２９】
ユーザが操作部１１６に表示されるキー７１５及びキー７１６をタッチすると、ＣＰＵ１１１は図１０に示すフローチャートを実行する。
【０１３０】
ステップＳ１００１乃至ステップＳ１００４では、第１の実施形態と同様の処理を行う。ステップＳ１００４で、ジョブにステイプル設定がなされていると判断するとステップＳ１００５に替えて、図１６のステップＳ１６０５の処理を実行する。ステップＳ１６０５では、ＣＰＵ１１１は、印刷属性情報を参照し、ジョブに指定されたステイプルの種類を判断する。「針使用ステイプル」が指定されている場合はステップＳ１０１２以降の処理へ進み、「針不使用ステイプル」が指定されている場合は、ステップＳ１００６以降の処理に進む。ステップＳ１０１２以降の処理及びステップＳ１００６以降の処理については第１の実施形態と同様であるため省略する。
【０１３１】
一方、「印刷時に設定」が指定されている場合はステップＳ１６０６の処理に進む。ステップＳ１６０６では、ＣＰＵ１１１は設定変更を適用した場合に印刷すべきシートの枚数が針不使用ステイプルの上限枚数以内であるか否かを判断する。印刷すべきシートの枚数が上限枚数以内である場合は、ステップＳ１６０７に進み、印刷すべきシートの枚数が上限枚数よりも多い場合は、ステップＳ１６１０に進む。ステップＳ１６１０では、ＣＰＵ１１１は針使用ステイプルを有効（ＯＮ）、針不使用ステイプルを無効（ＯＦＦ）に設定してステップＳ１０１１へ進む。
【０１３２】
ステップＳ１６０７では、ＣＰＵ１１１はステイプル種類を選択するための問い合わせ画面（ポップアップ画面）を表示する。図１１（ｃ）はＣＰＵ１１１が操作部１１６のパネル２０１に表示する操作画面の一例を示す図である。情報１１２１はジョブに対してステイプルの種類が設定されていないこと及び、当該問い合わせを介してステイプル種類を指定する旨をユーザに通知する情報である。
【０１３３】
キー１１２２はジョブに対して針不使用ステイプルを設定する場合に使用するキーである。キー１１２３はジョブに対して針使用ステイプルを設定する場合に使用するキーである。図１６の説明に戻り、ステップＳ１６０８ではＣＰＵ１１１は、図１１（ｃ）のポップアップ画面を介したユーザ操作を受け付ける。キー１１２２がタッチされた場合は、ステップＳ１６０９に進み、キー１１２３がタッチされた場合は、ステップＳ１６１０に進む。ステップＳ１６０９では、ＣＰＵ１１１は針不使用ステイプルを有効（ＯＮ）、針使用ステイプルを無効（ＯＦＦ）に設定してステップＳ１０１１に進む。
【０１３４】
ステップＳ１０１１では、ＣＰＵ１１１は図１０及び図１６のフローチャートを介してなされた設定を適用して処理を終了する。
【０１３５】
次に本実施形態の印刷に関する制御方法について説明する。本実施形態では、ステイプルの種類を印刷時に設定することが指定されたホールドジョブが存在するため、キー７１１をタッチしてＰｒｉｎｔキューへジョブを投入する場合にも設定変更の判定を行う。
【０１３６】
図１４は、ジョブホールド機能において印刷を実行する際の制御を示すフローチャートである。図１４に示すフローチャートの各動作（ステップ）は、ＣＰＵ１１１がＲＯＭ１１２又はストレージ１１４に記憶された制御プログラムをＲＡＭ１１３に読み出し、実行することにより実現される。
【０１３７】
ステップＳ１４０１では、ＣＰＵ１１１は、ホールドジョブの選択を受け付ける。ユーザは領域７００をタッチしてジョブを選択することができる。
【０１３８】
ステップＳ１４０２では、ＣＰＵ１１１は、キー７１１がタッチされることを判断する。キー７１１がタッチされた場合は、ステップＳ１４０３に進み、キー７１１がタッチされていない場合は、ステップＳ１４０１に戻り、更なるホールドジョブの選択を受け付ける。
【０１３９】
ステップＳ１４０３では、ＣＰＵ１１１は１つ以上のホールドジョブが選択されているか否かを判断する。ＣＰＵ１１１は１つ以上のホールドジョブが選択されていると判断すると、ステップＳ１４０４に進み、１つ以上のホールドジョブが選択されていないと判断すると、ステップＳ１４０１に戻り、ホールドジョブの選択を待つ。
【０１４０】
ステップＳ１４０４乃至ステップＳ１４１８は１つのホールドジョブに対して行われる処理である。複数のホールドジョブが選択された場合は、印刷順序にもとづいてステップＳ１４０４乃至ステップＳ１４１８の処理をくり返す。例えば図１３を例とすると、まず「Ｊｏｂ  Ａ」、「Ｊｏｂ  Ｄ」、「Ｊｏｂ  Ｆ」、「Ｊｏｂ  Ｂ」の順番に処理が行われる。
【０１４１】
ステップＳ１４０４では、ＣＰＵ１１１は、印刷順序に基づいてＲＡＭ１１３又はストレージ１１４に格納されたホールドジョブの印刷属性情報を参照し、綴じ処理（ステイプル処理）が設定されているか否かを判断する。綴じ処理が設定されていると判断すると、ステップＳ１４０５に進み、綴じ処理が設定されていないと判断すると、ステップＳ１４１１に進む。ステップＳ１４１１では、ＣＰＵ１１１は当該ホールドジョブを印刷ジョブに変換して、Ｐｒｉｎｔキューに投入する。Ｐｒｉｎｔキューに投入されたジョブは印刷部１２０によりシート上に印刷される。
【０１４２】
一方ステップＳ１４０５では、ＣＰＵ１１１は、印刷属性情報を参照し、ホールドジョブに指定されたステイプルの種類を判断する。「針使用ステイプル」が指定されている場合はステップＳ１４１２へ進み、「針不使用ステイプル」が指定されている場合は、ステップＳ１４０６に進む。また、「印刷時に設定」が指定されている場合はステップＳ１４１６に進む。
【０１４３】
まず「印刷時に設定」が指定された場合について説明する。ステップＳ１４１６では、ステップＳ１００６と同様に、印刷するシート枚数が針不使用ステイプルを行うことができる上限枚数以内であるかを判断する。上限枚数以内であると判断するとステップＳ１４１７に進み、上限枚数よりも多いと判断するとステップＳ１４１０に進む。ステップＳ１４１７では、ＣＰＵ１１１はステイプル種類を問い合わせる問い合わせ画面（ポップアップ画面）を表示する。
【０１４４】
図１５（ｃ）はＣＰＵ１１１が操作部１１６のパネル２０１に表示する操作画面の一例を示す図である。情報１５２１はステイプルの種類が設定されていないジョブがあることをユーザに通知するための情報である。情報１５２０はジョブに関する情報をユーザに通知するための情報である。なお、情報１５２１や後述する情報１５００及び１５１０がタッチされた場合に、更なる詳細情報を示す画面をポップアップ表示するようにしてもよい。
【０１４５】
キー１５２２は、ステイプル種類を針使用ステイプルに設定して印刷を開始する場合に使用するキーである。またキー１５２３は、ステイプル種類を針使用ステイプルに設定して印刷を開始する場合に使用するキーである。
【０１４６】
図１４の説明に戻りステップＳ１４１８では、ＣＰＵ１１１は図１５（ｃ）のポップアップ画面を介したユーザ操作を受け付ける。キー１５２２がタッチされた場合は、ステップＳ１４１０に進み、キー１５２３がタッチされた場合は、ステップＳ１４１５に進む。
【０１４７】
ステップＳ１４１０では、ＣＰＵ１１１は、第１の実施形態のステップＳ１０１０と同様に針使用ステイプルで綴じると決定する。また、ステップＳ１４１５では、ＣＰＵ１１１は、第１の実施形態のステップＳ１０１５と同様に針不使用ステイプルで綴じると決定する。
【０１４８】
次に、針不使用ステイプルが指定された場合について説明する。ステップＳ１４０６ではステップＳ１００６と同様に、印刷するシート枚数が針不使用ステイプルを行うことができる上限枚数以内であるかを判断する。上限枚数以内であると判断すると、ステップＳ１４１１に進み、印刷処理を開始し、上限枚数よりも多いと判断するとステップＳ１４０７に進む。ステップＳ１４０７では、ＣＰＵ１１１は針使用ステイプルへ変更するか、印刷をスキップするかを問い合わせる問い合わせ画面（ポップアップ画面）を表示する。図１５（ａ）は、ＣＰＵ１１１が操作部１１６のパネル２０１に表示する操作画面の一例を示す図であり、第１の実施形態における図１１（ａ）に対応する画面である。情報１５００はジョブの情報をユーザに通知する情報である。キー１５０２は、針使用ステイプルに変更して印刷を開始する場合に使用するキーである。キー１５０３は当該ジョブの印刷をスキップする場合に使用するキーである。
【０１４９】
図１４の説明に戻り、ステップＳ１４０８では、図１５（ａ）のポップアップ画面を介したユーザ操作を受け付ける。キー１５０２がタッチされた場合は、ステップＳ１４１０以降に進み、針使用ステイプルで綴じると決定して当該ジョブの印刷を開始する。一方、キー１５０３がタッチされた場合は、ステップＳ１４０９に進む。ステップＳ１４０９では、当該ジョブの印刷をキャンセルしてステップＳ１４１９に進む。
【０１５０】
最後に、針使用ステイプルが指定された場合について説明する。ステップＳ１４１２乃至ステップＳ１４１４では第１の実施形態のステップＳ１０１２乃至ステップＳ１０１４と同様の判定を行う。ステップＳ１０１２では、ＣＰＵ１１１は、印刷するシート枚数が針不使用ステイプルを行うことができる上限枚数以内であるか判断する。上限枚数よりも多い場合はステップＳ１４１１に進み印刷処理を開始し、上限枚数以内である場合はステップＳ１４１３に進み問い合わせ画面を表示する。図１５（ｂ）は、ＣＰＵ１１１が操作部１１６のパネル２０１に表示する操作画面の一例を示す図であり、第１の実施形態における図１１（ｂ）に対応する画面である。情報１５１０はジョブの情報を通知する情報である。キー１５１２は針不使用ステイプルに変更して印刷を開始する場合に使用するキーである。キー１５１３は針使用ステイプルのまま印刷を開始する場合に使用するキーである。
【０１５１】
図１４の説明に戻りステップＳ１０１４では、ＣＰＵ１１１は、図１５（ｂ）を介したユーザ指示を受け付ける。キー１５１２がタッチされた場合は、ステップＳ１４１５以降に進み、針不使用ステイプルで綴じることを決定して当該ジョブの印刷を開始する。一方、キー１５１３がタッチされた場合は、ステイプル処理を変更せずにステップＳ１４１１に進み当該ジョブの印刷を開始する。
【０１５２】
ステップＳ１４１９では、ＣＰＵ１１１はステップＳ１４０１で選択されたホールドジョブの中で処理を行っていないジョブが存在するか否かを判断する。未処理のジョブが存在しないと判断すると、印刷開始の制御を終了して、図１３に示すジョブホールド機能のメイン画面に遷移する。一方未処理のジョブが存在すると判断すると、ステップＳ１４０４に戻り、印刷順序に基づいて次のホールドジョブに関する処理を行う。
【０１５３】
以上説明したように、本実施形態では第１の実施形態における設定変更に加えて、ステイプルの種類が未設定のホールドジョブに対して、設定変更と連動してステイプルの種類を設定することができる。従って、設定変更後のシートの枚数に基づいて適切に綴じ処理の種類を設定することができ、利便性の高い設定変更を行うことができる。
【０１５４】
更に、本実施形態では、選択されたホールドジョブの印刷を開始する際に、印刷するシート枚数と針不使用ステイプルの上限枚数を比較して、必要に応じてステイプル種類に関する問い合わせを行う。従って、ステイプルの種類が未設定のジョブに対して、事前に印刷設定が変更されない場合であっても印刷時に綴じ処理の種類を設定することができる。
【０１５５】
＜その他の実施形態＞
第１及び第２の実施形態のステイプル種類の選択の問い合わせにおいて、更に、針不使用ステイプルのまま分冊して綴じる選択肢を追加してもよい。この場合、例えば図１７に示すようなポップアップ画面を表示して、分冊して綴じる処理を選択できるようにする。
【０１５６】
例えば、ＣＰＵ１１１はキー１７１１がタッチされたと判断すると、分冊フラグをＯＮにして、ジョブの設定変更を適用する。分冊フラグがＯＮに設定されたジョブは、出力時にシート処理部１２２より適宜分冊して出力される。この場合、設定変更に連動してステイプルの種類を更に柔軟に設定することができる。
【０１５７】
更に、上記第１及び第２の実施形態は、ＭＦＰ１０１の代わりにプリントサーバ（不図示）などの印刷制御装置上で、ジョブの設定を変更する場合にも適用できる。この場合、印刷制御装置はＭＦＰ１０１の備える綴じ処理に関する能力を適宜取得して、図１０、図１４、及び図１６のフローチャートに対応する制御プログラムを実行する。
【０１５８】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【０１５９】
以上、本発明の好ましい実施形態について詳述したが、本発明は係る特定の実施形態に限定されるものではなく、特許請求の範囲に記載された本発明の要旨の範囲内において、種々の変形及び変更が可能である。
【符号の説明】
【０１６０】
１０１  ＭＦＰ
１０２  ＰＣ
１１１  ＣＰＵ
１２０  印刷部
１２２  シート処理部
１２３  通信部
３１４ａ  針使用綴じ部
３１４ｂ  針不使用綴じ部
【図１】
2016107482.tif 000003
【図２】
2016107482.tif 000004
【図３】
2016107482.tif 000005
【図４】
2016107482.tif 000006
【図５】
2016107482.tif 000007
【図６】
2016107482.tif 000008
【図７】
2016107482.tif 000009
【図８】
2016107482.tif 000010
【図９】
2016107482.tif 000011
【図１０】
2016107482.tif 000012
【図１１】
2016107482.tif 000013
【図１２】
2016107482.tif 000014
【図１３】
2016107482.tif 000015
【図１４】
2016107482.tif 000016
【図１５】
2016107482.tif 000017
【図１６】
2016107482.tif 000018
【図１７】
2016107482.tif 000019